(57)【要約】【課題】一組のペアケーブルで複数の情報を通信する。【解決手段】機器室１０１のリレー１１１−１〜１１１−ｎは、発振周波数の異なる発振器１１２−１〜１１２−ｎの入力端子１１３−１〜１１３−ｎと接続され、その出力はペアケーブル１０３の接点１１４に接続される。器具箱１０２のリレー１３１−１〜１３１−ｎは、フィルタ１３３−１〜１３３−ｎを介して、ペアケーブル１０３の接点１３２と接続される。フィルタ１３３−１は、発振器１１２−１の発振周波数を中心周波数とする信号のみを通過させるので、発振器１１２−１と接続されたリレー１１１−１の信号のみがリレー１３１−１に供給される。フィルタ１３３−２〜１３３−ｎが通過させる周波数帯域も同様であるので、リレー１１１−２の信号のみがリレー１３１−２に、リレー１１１−３の信号のみがリレー１３１−３に、リレー１１１−ｎの信号のみがリレー１３１−ｎに供給される。【選択図】図３
2014179700.tif 000002
【特許請求の範囲】
【請求項１】
送信装置と受信装置が２以上のｎ組のペアケーブルで接続され、前記送信装置の第１の回路と前記受信装置の第２の回路とが１組の前記ペアケーブルで１対１に接続され、ｎ個の前記第１の回路のそれぞれから、ＯＮまたはＯＦＦの信号のみが前記ペアケーブルを用いてｎ個の前記第２の回路に送信されることにより、前記送信装置から前記受信装置に対してｎ種類の情報を送信することが可能な鉄道用の情報送信システムにおいて、ｎ組の前記ペアケーブルのうちの少なくとも一部が断線した場合に、１組の前記ペアケーブルを用いて、ｎ種類の前記情報を含む信号を送信することが可能な断線処置用の送信装置であって、
異なる周波数を発振するｎ個の発振手段と、
ｎ個の前記第１の回路のそれぞれから供給されるＯＮまたはＯＦＦの信号を、前記発振手段のそれぞれに入力するｎ個の入力手段と、
前記発振手段のそれぞれの出力と、１組の前記ペアケーブルとを接続する接続手段と
を備えることを特徴とする断線処置用の送信装置。
【請求項２】
請求項１に記載の断線処置用の送信装置であって、
前記第１の回路、または、前記第２の回路の少なくともいずれかは、リレーを含む回路である
ことを特徴とする断線処置用の送信装置。
【請求項３】
送信装置と受信装置が２以上のｎ組のペアケーブルで接続され、前記送信装置の第１の回路と前記受信装置の第２の回路とが１組の前記ペアケーブルで１対１に接続され、ｎ個の前記第１の回路のそれぞれから、ＯＮまたはＯＦＦの信号のみが前記ペアケーブルを用いてｎ個の前記第２の回路に送信されることにより、前記送信装置から前記受信装置に対してｎ種類の情報を送信することが可能な鉄道用の情報送信システムにおいて、ｎ組の前記ペアケーブルのうちの少なくとも一部が断線した場合に、
異なる周波数を発振するｎ個の発振手段と、ｎ個の前記第１の回路のそれぞれから供給されるＯＮまたはＯＦＦの信号を前記発振手段のそれぞれに入力するｎ個の入力手段と、前記発振手段のそれぞれの出力と１組の前記ペアケーブルの一端とを接続する第１の接続手段とを備える断線処理用の送信装置
から、１組の前記ペアケーブルを介して、ｎ種類の前記情報を含む信号を受信する断線処置用の受信装置であって、
ｎ個の前記発振手段のそれぞれに対応する発振周波数を中心周波数とする所定の周波数帯域の信号のみを選択的に通過させるｎ個のフィルタ手段と、
１組の前記ペアケーブルの他端と、ｎ個の前記フィルタ手段の入力のそれぞれとを接続する第２の接続手段と、
前記フィルタ手段の出力を、対応する周波数を発振する前記発振手段に前記入力手段を介してＯＮまたはＯＦＦの信号を供給する前記第１の回路と、断線前の状態において、前記ペアケーブルで１対１に接続されていた前記第２の回路に出力する出力手段と
を備えることを特徴とする断線処置用の受信装置。
【請求項４】
請求項３に記載の断線処置用の受信装置であって、
前記第１の回路、または、前記第２の回路の少なくともいずれかは、リレーを含む回路である
ことを特徴とする断線処置用の受信装置。
【請求項５】
送信装置と受信装置が２以上のｎ組のペアケーブルで接続され、前記送信装置の第１の回路と前記受信装置の第２の回路とが１組の前記ペアケーブルで１対１に接続され、ｎ個の前記第１の回路のそれぞれから、ＯＮまたはＯＦＦの信号のみが前記ペアケーブルを用いてｎ個の前記第２の回路に送信されることにより、前記送信装置と前記受信装置とが、ｎ種類の情報を送受信することが可能な鉄道用の情報送信システムにおいて、ｎ組の前記ペアケーブルのうちの少なくとも一部が断線した場合に、１組の前記ペアケーブルを用いて、ｎ種類の前記情報を含む信号を送信することが可能な、断線処置用の情報送信システムであって、
断線処置用の送信装置は、
異なる周波数を発振するｎ個の発振手段と、
ｎ個の前記第１の回路のそれぞれから供給されるＯＮまたはＯＦＦの信号を、前記発振手段のそれぞれに入力するｎ個の入力手段と、
前記発振手段のそれぞれの出力と、１組の前記ペアケーブルの一端とを接続する第１の接続手段と
を備え、
断線処置用の受信装置は、
ｎ個の前記発振手段のそれぞれに対応する発振周波数を中心周波数とする所定の周波数帯域の信号のみを選択的に通過させるｎ個のフィルタ手段と、
１組の前記ペアケーブルの他端と、ｎ個の前記フィルタ手段の入力のそれぞれとを接続する第２の接続手段と、
前記フィルタ手段の出力を、対応する周波数を発振する前記発振手段に前記入力手段を介してＯＮまたはＯＦＦの信号を供給する前記第１の回路と、断線前の状態において、前記ペアケーブルで１対１に接続されていた前記第２の回路に出力する出力手段と
を備える
ことを特徴とする断線処置用の情報送信システム。
【請求項６】
請求項５に記載の断線処置用の情報送信システムであって、
前記第１の回路、または、前記第２の回路の少なくともいずれかは、リレーを含む回路である
ことを特徴とする断線処置用の情報送信システム。
【請求項７】
第１の装置と第２の装置が２以上の（ｍ＋ｍ´）組のペアケーブルで接続され、前記第１の装置の第１の回路と前記第２の装置の第２の回路とが１組の前記ペアケーブルで１対１に接続され、ｍ個の前記第１の回路のそれぞれから、ＯＮまたはＯＦＦの信号のみが前記ペアケーブルを用いてｍ個の前記第２の回路に送信されるとともに、前記第１の装置の第３の回路と前記第２の装置の第４の回路とが１組の前記ペアケーブルで１対１に接続され、ｍ´個の前記第４の回路のそれぞれから、ＯＮまたはＯＦＦの信号のみが前記ペアケーブルを用いてｍ´個の前記第３の回路に送信されることにより、前記第１の装置と前記第２の装置とが、（ｍ＋ｍ´）種類の情報を送受信することが可能な鉄道用の情報送受信システムにおいて、（ｍ＋ｍ´）組の前記ペアケーブルのうちの少なくとも一部が断線した場合に、１組の前記ペアケーブルを用いて、（ｍ＋ｍ´）種類の前記情報を含む信号を送受信することが可能な、断線処置用の情報送受信システムであって、
断線処置用の第１の装置は、
異なる周波数を発振するｍ個の第１の発振手段と、
ｍ個の前記第１の回路から供給されるＯＮまたはＯＦＦの信号を、前記第１の発振手段のそれぞれに入力するｍ個の第１の入力手段と、
ｍ個の前記第１の発振手段のそれぞれの発振周波数とはそれぞれ異なる周波数を中心周波数とする所定の周波数帯域の信号を選択的に通過させるｍ´個の第１のフィルタ手段と、
１ペアの前記ペアケーブルの一端と、ｍ個の前記第１の発振手段の出力、および、ｍ´個の前記第１のフィルタ手段の入力とを接続する第１の接続手段と、
ｍ´個の前記フィルタ手段の出力を、ｍ´個の前記第３の回路にそれぞれ出力する第１の出力手段と
を備え、
断線処置用の第２の装置は、
ｍ個の前記第１の発振手段のそれぞれに対応する発振周波数を中心周波数とする所定の周波数帯域の信号のみを選択的に通過させるｍ個の第２のフィルタ手段と、
前記第２のフィルタ手段の出力を、対応する周波数を発振する前記第１の発振手段に前記第１の入力手段を介してＯＮまたはＯＦＦの信号を供給する前記第１の回路と、断線前の状態において、前記ペアケーブルで１対１に接続されていた前記第２の回路に出力する第２の出力手段と、
ｍ´個の前記第１のフィルタ手段が選択的に通過させる所定の周波数帯域の中心周波数に対応する周波数を発振するｍ´個の第２の発振手段と、
ｍ´個の前記第２の発振手段に、対応する周波数帯域の信号を選択的に通過させる前記第１のフィルタ手段から前記第１の出力手段により信号の供給を受ける前記第３の回路と、断線前の状態において、前記ペアケーブルで１対１に接続されていた前記第４の回路から供給される信号を入力する第２の入力手段と、
１組の前記ペアケーブルの他端と、ｍ個の前記第２の入力手段、および、ｍ´個の前記第２の発振手段の出力とを接続する第２の接続手段と
を備える
ことを特徴とする断線処置用の情報送受信システム。
【請求項８】
請求項７に記載の断線処置用の情報送受信システムであって、
前記第１の回路、前記第２の回路、前記第３の回路、または、前記第４の回路の少なくともいずれかは、リレーを含む回路である
ことを特徴とする断線処置用の情報送受信システム。
【請求項９】
送信装置と受信装置が２以上のｎ組のペアケーブルで接続され、前記送信装置の第１の回路と前記受信装置の第２の回路とが１組の前記ペアケーブルで１対１に接続され、ｎ個の前記第１の回路のそれぞれから、ＯＮまたはＯＦＦの信号のみが前記ペアケーブルを用いてｎ個の前記第２の回路に送信されることにより、前記送信装置と前記受信装置とが、ｎ種類の情報を送受信することが可能な鉄道用の情報送信システムにおいて、ｎ組の前記ペアケーブルのうちの少なくとも一部が断線した場合に、１組のペアケーブルを用いて、ｎ種類の前記情報を含む信号を送信するための、断線処置用の回路であって、
ｎ個の前記第１の回路のそれぞれから供給されるＯＮまたはＯＦＦの信号が、異なる周波数を発振するｎ個の発振手段のそれぞれに入力されるように、前記第1の回路と前記発振手段とが接続され、
前記発振手段のそれぞれの出力と、１組の前記ペアケーブルの一端とが接続され、
１組の前記ペアケーブルの他端と、ｎ個の前記発振手段のそれぞれに対応する発振周波数を中心周波数とする所定の周波数帯域の信号のみを選択的に通過させるｎ個のフィルタ手段とが接続され、
前記フィルタ手段の出力が、対応する周波数を発振する前記発振手段にＯＮまたはＯＦＦの信号を入力する前記第１の回路と、断線前の状態において、前記ペアケーブルで１対１に接続されていた前記第２の回路に接続されている
ことを特徴とする断線処置用の回路。
【請求項１０】
請求項９に記載の断線処置用の回路であって、
前記第１の回路、または、前記第２の回路の少なくともいずれかは、リレーを含む回路である
ことを特徴とする断線処置用の回路。
【請求項１１】
第１の装置と第２の装置が２以上の（ｍ＋ｍ´）組のペアケーブルで接続され、前記第１の装置の第１の回路と前記第２の装置の第２の回路とが１組の前記ペアケーブルで１対１に接続され、ｍ個の前記第１の回路のそれぞれから、ＯＮまたはＯＦＦの信号のみが前記ペアケーブルを用いてｍ個の前記第２の回路に送信されるとともに、前記第１の装置の第３の回路と前記第２の装置の第４の回路とが１組の前記ペアケーブルで１対１に接続され、ｍ´個の前記第４の回路のそれぞれから、ＯＮまたはＯＦＦの信号のみが前記ペアケーブルを用いてｍ´個の前記第３の回路に送信されることにより、前記第１の装置と前記第２の装置とが、（ｍ＋ｍ´）種類の情報を送受信することが可能な鉄道用の情報送受信システムにおいて、（ｍ＋ｍ´）組の前記ペアケーブルのうちの少なくとも一部が断線した場合に、１組の前記ペアケーブルを用いて、（ｍ＋ｍ´）種類の前記情報を含む信号を送受信するための断線処置用の回路であって、
ｍ個の前記第１の回路から供給されるＯＮまたはＯＦＦの信号が、異なる周波数を発振するｍ個の第１の発振手段のそれぞれに入力されるように、前記第1の回路と前記第1の発振手段とが接続され、
ｍ個の前記第１の発振手段のそれぞれの発振周波数とはそれぞれ異なる周波数を中心周波数とする所定の周波数帯域の信号を選択的に通過させるｍ´個の第１のフィルタ手段の入力、および、ｍ個の前記第１の発振手段のそれぞれの出力が、１組の前記ペアケーブルの一端に接続され、
ｍ´個の前記フィルタ手段の出力が、ｍ´個の前記第３の回路に接続され、
ｍ個の前記発振手段のそれぞれに対応する発振周波数の信号のみを選択的に通過させるｍ個の第２のフィルタ手段の出力が、対応する周波数を発振する前記第１の発振手段にＯＮまたはＯＦＦの信号を入力する前記第１の回路と、断線前の状態において、前記ペアケーブルで１対１に接続されていた前記第２の回路に接続され、
ｍ´個の前記第１のフィルタ手段が選択的に通過させる周波数帯域の中心周波数に対応する周波数を発振するｍ´個の第２の発振手段の入力に、対応する所定の周波数帯域の信号を選択的に通過させる前記第１のフィルタから信号の出力を受ける前記第３の回路と、断線前の状態において、前記ペアケーブルで１対１に接続されていた前記第４の回路が接続され、
１組の前記ペアケーブルの他端と、ｍ個の前記第２のフィルタ手段の入力、および、ｍ´個の前記第２の発振手段の出力とが接続される
ことを特徴とする断線処置用の回路。
【請求項１２】
請求項１１に記載の断線処置用の回路であって、
前記第１の回路、前記第２の回路、前記第３の回路、または、前記第４の回路の少なくともいずれかは、リレーを含む回路である
ことを特徴とする断線処置用の回路。
【請求項１３】
送信装置と受信装置が２以上のｎ組のペアケーブルで接続され、前記送信装置の第１の回路と前記受信装置の第２の回路とが１組の前記ペアケーブルで１対１に接続され、ｎ個の前記第１の回路のそれぞれから、ＯＮまたはＯＦＦの信号のみが前記ペアケーブルを用いてｎ個の前記第２の回路に送信されることにより、前記送信装置と前記受信装置とが、ｎ種類の情報を通信することが可能な鉄道用の情報送信システムにおいて、ｎ組の前記ペアケーブルのうちの少なくとも一部が断線した場合に、１組のペアケーブルを用いて、ｎ種類の前記情報を含む信号を通信するための断線時の処置方法であって、
ｎ個の前記第１の回路のそれぞれから供給されるＯＮまたはＯＦＦの信号が、異なる周波数を発振するｎ個の発振手段のそれぞれに入力されるように、前記第1の回路と前記発振手段とを接続し、
前記発振手段のそれぞれの出力と、１組の前記ペアケーブルの一端とを接続し、
１組の前記ペアケーブルの他端と、ｎ個の前記発振手段のそれぞれに対応する発振周波数を中心周波数とする所定の周波数帯域の信号のみを選択的に通過させるｎ個のフィルタ手段とを接続し、
前記フィルタ手段の出力を、対応する周波数を発振する前記発振手段にＯＮまたはＯＦＦの信号を入力する前記第１の回路と、断線前の状態において、前記ペアケーブルで１対１に接続されていた前記第２の回路に接続する
ことを特徴とする断線時の処置方法。
【請求項１４】
請求項１３に記載の断線時の処置方法であって、
前記第１の回路、または、前記第２の回路の少なくともいずれかは、リレーを含む回路である
ことを特徴とする断線時の処置方法。
【請求項１５】
第１の装置と第２の装置が２以上の（ｍ＋ｍ´）組のペアケーブルで接続され、前記第１の装置の第１の回路と前記第２の装置の第２の回路とが１組の前記ペアケーブルで１対１に接続され、ｍ個の前記第１の回路のそれぞれから、ＯＮまたはＯＦＦの信号のみが前記ペアケーブルを用いてｍ個の前記第２の回路に送信されるとともに、前記第１の装置の第３の回路と前記第２の装置の第４の回路とが１組の前記ペアケーブルで１対１に接続され、ｍ´個の前記第４の回路のそれぞれから、ＯＮまたはＯＦＦの信号のみが前記ペアケーブルを用いてｍ´個の前記第３の回路に送信されることにより、前記第１の装置と前記第２の装置とが、（ｍ＋ｍ´）種類の情報を送受信することが可能な鉄道用の情報送受信システムにおいて、（ｍ＋ｍ´）組の前記ペアケーブルのうちの少なくとも一部が断線した場合に、１組の前記ペアケーブルを用いて、（ｍ＋ｍ´）種類の前記情報を含む信号を送受信するための断線時の処置方法であって、
ｍ個の前記第１の回路から供給されるＯＮまたはＯＦＦの信号が、異なる周波数を発振するｍ個の第１の発振手段のそれぞれに入力されるように、前記第1の回路と前記第１の発振手段とを接続し、
ｍ個の前記第１の発振手段のそれぞれの発振周波数とはそれぞれ異なる周波数を中心周波数とした所定の周波数帯域の信号を選択的に通過させるｍ´個の第１のフィルタ手段の入力、および、ｍ個の前記第１の発振手段のそれぞれの出力を、１組の前記ペアケーブルの一端に接続し、
ｍ´個の前記第１のフィルタ手段の出力が、ｍ´個の前記第３の回路にそれぞれ出力されるように、前記第１のフィルタ手段と前記第３の回路とを接続し、
ｍ個の前記第１の発振手段のそれぞれに対応する発振周波数を中心周波数とする所定の周波数帯域の信号のみを選択的に通過させるｍ個の第２のフィルタ手段の出力を、対応する周波数を発振する前記第１の発振手段にＯＮまたはＯＦＦの信号を入力する前記第１の回路と、断線前の状態において、前記ペアケーブルで１対１に接続されていた前記第２の回路に接続し、
ｍ´個の前記第１のフィルタ手段が選択的に通過させる周波数帯域の中心周波数に対応する周波数を発振するｍ´個の第２の発振手段の入力を、対応する周波数帯域の信号を選択的に通過させる前記第１のフィルタから信号の出力を受ける前記第３の回路と、断線前の状態において、前記ペアケーブルで１対１に接続されていた前記第４の回路に接続し、
１組の前記ペアケーブルの他端と、ｍ個の前記第２のフィルタ手段の入力、および、ｍ´個の前記第２の発振手段の出力とを接続する
ことを特徴とする断線時の処置方法。
【請求項１６】
請求項１５に記載の断線時の処置方法であって、
前記第１の回路、前記第２の回路、前記第３の回路、または、前記第４の回路の少なくともいずれかは、リレーを含む回路である
ことを特徴とする断線時の処置方法。
【発明の詳細な説明】
【技術分野】
【０００１】
本発明は、断線処置用の送信装置、受信装置、情報送信システム、情報送受信システム、および、回路、並びに、断線時の処置方法に関する。
【背景技術】
【０００２】
踏切の遮断機など、鉄道の安全運行のための機器の制御方法としては、リレーが多く用いられている。機器室と器具箱とは、複数のペアケーブルで接続され、１ペアのケーブルは、リレーのＯＮかＯＦＦの情報信号のみを伝達する場合が多い。被制御側の機器は、そのＯＮかＯＦＦの情報信号、または、その組み合わせに基づいて動作する。
【０００３】
また、一般的に、踏切の遮断機の開閉の制御は、踏切の上り方向および下り方向にそれぞれ設置された踏切制御子からの制御信号に基づいて行われる。しかしながら、例えば、駅のすぐそばに設けられている踏切の遮断機の開閉の制御においては、ホームと踏切が近接しているために、踏切に対してホーム側に踏切制御子を設置することができなかったり、列車がある一定の時間ホームに停車する場合には踏切の遮断機を開ける必要があるなどの様々な条件により、単純に列車の通過等の情報だけで踏切の遮断機の開閉制御を行うことができない。そこで、駅のすぐそばに設けられている踏切においては、踏切制御子、軌道回路、および、踏切に設けられている各種センサなどから踏切の器具箱に直接入力される情報信号に加えて、駅構内などの機器室から送信される情報信号をさらに用いて、それぞれの条件を示す複数のＯＮまたはＯＦＦの情報信号に基づいたリレーシーケンスによって、遮断機の開閉制御が行われる。
【０００４】
図１を参照して、駅のすぐそばに設けられている踏切の遮断機の開閉制御方法の一例について説明する。駅の構内などに設けられている機器室５１と、踏切５２近辺に設けられている器具箱５３とは、複数のペアケーブルで接続されている。ホーム５４脇には、ホーム５４に沿って列車が存在する（停車中または通過中）か否かを検出する複数の軌道回路５５が設けられている。図１においては、その一例として、軌道回路５５−１および５５−２が図示されている。また、踏切５２がホーム５４からごく近い位置にあるため、その間には、踏切制御子を設置することができず、必要に応じて、軌道回路（図示せず）が設置される。軌道回路は、このほかにも、必要に応じて各所に設置される。踏切５２には、遮断機５６−１および５６−２が設置され、器具箱５３から供給される制御信号によって、その開閉が制御される。踏切に対してホームと逆（ホームから遠い）側には、所定の範囲内に列車が存在するか否かを検出することにより、上り方向および下り方向のそれぞれにおいて、列車の通過を検知することができる踏切制御子５７が設置されている。
【０００５】
機器室５１には、軌道回路５５−１および５５−２からの情報信号や、列車の運行情報や、各所に備えられているセンサが検出した情報などが入力されている。また、機器室５１には、軌道回路５５−１および５５−２以外に設置されている図示せぬ軌道回路からも、必要に応じて情報信号が入力されている。機器室５１に入力された情報信号のうちの少なくとも一部は、それぞれの情報信号に対して設けられているリレー６１−１〜リレー６１−ａに供給され、リレー６１−１〜リレー６１−ａによるＯＮまたはＯＦＦの情報信号は、リレーシーケンス回路６２に入力される。さらに、機器室５１には、器具箱５３からペアケーブルを介して供給された情報が入力されている。器具箱５３からペアケーブルを介して機器室５１に供給された情報信号のうちの少なくとも一部は、リレー６３−１〜リレー６３−５に供給され、リレー６３−１〜リレー６３−５によるＯＮまたはＯＦＦの情報信号は、リレーシーケンス回路６２に入力される。
【０００６】
リレーシーケンス回路６２は、機器室５１に供給された各種情報信号の条件の組み合わせに基づいて、踏切５２の遮断機５６−１および５６−２の開閉の制御に必要な制御信号を生成する。リレーシーケンス回路６２により生成された制御信号は、それぞれ、ペアケーブルを介して、器具箱５３に供給される。
【０００７】
また、機器室５１に入力された情報信号のうちの一部は、必要に応じて、リレーシーケンス回路６２に入力されることなく、リレー６４およびペアケーブルを介して、器具箱５３に供給されてもよい。また、図示されていないが、リレー６１−１〜リレー６１−ａによるＯＮまたはＯＦＦの情報信号のうちの一部が、ペアケーブルを介して、器具箱５３に供給されてもよい。そして、器具箱５３からペアケーブルを介して機器室５１に供給された情報信号の一部は、リレー６５を介して、リレーシーケンス回路６２に入力されることなく、他の処理に用いられる情報信号として利用されてもよい。
【０００８】
器具箱５３には、機器室５１からペアケーブルを介して供給された情報が入力されている。機器室５１からペアケーブルを介して器具箱５３に供給された情報信号の一部は、リレー７１−１〜リレー７１−５に供給され、リレー７１−１〜リレー７１−５によるＯＮまたはＯＦＦの情報信号は、リレーシーケンス回路７２に入力される。さらに、器具箱５３には、踏切制御子５７からの情報信号や、踏切５２に設けられている各種センサが検出した情報などが入力されている。また、器具箱５３には、軌道回路５５−１および５５−２以外に設置されている図示せぬ軌道回路からも、必要に応じて情報信号が入力されている。器具箱５３に入力された情報信号のうちの少なくとも一部は、それぞれの情報信号に対して設けられているリレー７３−１〜リレー７３−ｂに供給され、リレー７３−１〜リレー７３−ｂによるＯＮまたはＯＦＦの情報信号は、リレーシーケンス回路７２に入力される。
【０００９】
リレーシーケンス回路７２は、器具箱５３に供給された各種情報信号の条件の組み合わせに基づいて、踏切５２の遮断機５６−１および５６−２の開閉を制御するための制御信号を生成し、遮断機５６−１および５６−２に供給する。
【００１０】
また、器具箱５３に入力された情報信号のうちの一部は、必要に応じて、リレーシーケンス回路７２に入力されることなく、リレー７４およびペアケーブルを介して、機器室５１に供給されてもよい。また、リレー７３−１〜リレー７３−ｂによるＯＮまたはＯＦＦの情報信号のうちの一部が、ペアケーブルを介して、器具箱５３に供給されてもよい。
【００１１】
図１を用いて説明したように、鉄道の運行の安全を担保するために、機器室と被制御機器または被制御機器を制御する器具箱との間で複数の情報を通信する場合、情報の数だけのペアケーブルが用いられ、それぞれのペアケーブルでは、１種類の情報を示すＯＮまたはＯＦＦの情報信号のみを送信するようになされている。
【００１２】
複数のケーブルを用いずに、１本のケーブルで複数の情報を送受信するための技術には、例えば、シリアル通信を用いた方式など、広く用いられている技術が多く存在する。しかしながら、何らかのソフトウェア技術を用いた場合のバグやプロトコルエラーなどを完全に無くすことは困難である。このため、安全性が最重要である鉄道の運行に関する信号保安機器の制御においては、基本的に、１つのペアケーブルによって、１種類のみの情報信号を送信するようになされている。
【００１３】
上述したように、機器室と器具箱などを接続するために配線されるペアケーブルは、野外にさらされた状態で長期間用いられる。したがって、このような用途のペアケーブルは、例えば、動物にかじられたり、雨風にさらされるといった劣悪な環境下においても長期間使用可能なように、その被覆は、非常に硬く丈夫なものである必要がある。したがって、ペアケーブルの敷設には、大変な時間や労力がかかってしまうので、例えば、災害などによって、複数のペアケーブルのうちの何本かが断線してしまった場合、それらをすべて、元の１対１の接続となるように復旧する作業は容易ではない。
【００１４】
例えば、上述したシリアル通信を用いて、断線せずに残ったペアケーブルで複数の情報を送信または送受信するためには、送受信プロトコルを解析し、送信と受信との手順を制御する必要がある（例えば、特許文献１，２参照）。
【先行技術文献】
【特許文献】
【００１５】
【特許文献１】特許第４２７２７５５号
【特許文献２】特許第５０３８０３３号
【発明の概要】
【発明が解決しようとする課題】
【００１６】
しかしながら、上述したように送信と受信との手順を制御する場合、送信側および受信側のそれぞれにディジタル回路を設置することが必要となるため、コストがかかるうえに、あらかじめ準備をしておく必要もあった。さらに、上述したように、何らかのソフトウェア技術を用いた場合には、バグやプロトコルエラーなどを完全に無くすことは困難であることから、安全性が最重要である鉄道の運行に関する信号保安機器の通信に利用することについての懸念が残ってしまう。
【００１７】
そこで、本発明は、上記課題を解決すること、すなわち、複数敷設されたペアケーブルの断線時において、簡単な構成を用いて、１組のペアケーブルで複数の情報を通信することができる、断線処置用の送信装置、受信装置、情報送信システム、情報送受信システム、および、回路、並びに、断線時の処置方法を提供することを目的とする。
【課題を解決するための手段】
【００１８】
上記課題を解決するために、本発明の断線処理用の送信装置の第１の側面は、送信装置と受信装置が２以上のｎ組のペアケーブルで接続され、送信装置の第１の回路と受信装置の第２の回路とが１組のペアケーブルで１対１に接続され、ｎ個の第１の回路のそれぞれから、ＯＮまたはＯＦＦの信号のみがペアケーブルを用いてｎ個の第２の回路に送信されることにより、送信装置から受信装置に対してｎ種類の情報を送信することが可能な鉄道用の情報送信システムにおいて、ｎ組のペアケーブルのうちの少なくとも一部が断線した場合に、１組のペアケーブルを用いて、ｎ種類の情報を含む信号を送信することが可能な断線処置用の送信装置であって、異なる周波数を発振するｎ個の発振手段と、ｎ個の第１の回路のそれぞれから供給されるＯＮまたはＯＦＦの信号を、発振手段のそれぞれに入力するｎ個の入力手段と、発振手段のそれぞれの出力と、１組のペアケーブルとを接続する接続手段とを備えることを特徴とする。
【００１９】
本発明の断線処置用の送信装置の他の側面は、第１の回路、または、第２の回路の少なくともいずれかは、リレーを含む回路であることを特徴とする。
【００２０】
本発明の断線処理用の受信装置の第１の側面は、送信装置と受信装置が２以上のｎ組のペアケーブルで接続され、送信装置の第１の回路と受信装置の第２の回路とが１組のペアケーブルで１対１に接続され、ｎ個の第１の回路のそれぞれから、ＯＮまたはＯＦＦの信号のみがペアケーブルを用いてｎ個の第２の回路に送信されることにより、送信装置から受信装置に対してｎ種類の情報を送信することが可能な鉄道用の情報送信システムにおいて、ｎ組のペアケーブルのうちの少なくとも一部が断線した場合に、異なる周波数を発振するｎ個の発振手段と、ｎ個の第１の回路のそれぞれから供給されるＯＮまたはＯＦＦの信号を発振手段のそれぞれに入力するｎ個の入力手段と、発振手段のそれぞれの出力と１組のペアケーブルの一端とを接続する第１の接続手段とを備える断線処理用の送信装置から、１組のペアケーブルを介して、ｎ種類の情報を含む信号を受信する断線処置用の受信装置であって、ｎ個の発振手段のそれぞれに対応する発振周波数を中心周波数とする所定の周波数帯域の信号のみを選択的に通過させるｎ個のフィルタ手段と、１組のペアケーブルの他端と、ｎ個のフィルタ手段の入力のそれぞれとを接続する第２の接続手段と、フィルタ手段の出力を、対応する周波数を発振する発振手段に入力手段を介してＯＮまたはＯＦＦの信号を供給する第１の回路と、断線前の状態において、ペアケーブルで１対１に接続されていた第２の回路に出力する出力手段とを備えることを特徴とする。
【００２１】
本発明の断線処置用の受信装置の他の側面は、第１の回路、または、第２の回路の少なくともいずれかは、リレーを含む回路であることを特徴とする。
【００２２】
本発明の断線処置用の情報送信システムの第１の側面は、送信装置と受信装置が２以上のｎ組のペアケーブルで接続され、送信装置の第１の回路と受信装置の第２の回路とが１組のペアケーブルで１対１に接続され、ｎ個の第１の回路のそれぞれから、ＯＮまたはＯＦＦの信号のみがペアケーブルを用いてｎ個の第２の回路に送信されることにより、送信装置と受信装置とが、ｎ種類の情報を送受信することが可能な鉄道用の情報送信システムにおいて、ｎ組のペアケーブルのうちの少なくとも一部が断線した場合に、１組のペアケーブルを用いて、ｎ種類の情報を含む信号を送信することが可能な、断線処置用の情報送信システムであって、断線処置用の送信装置は、異なる周波数を発振するｎ個の発振手段と、ｎ個の第１の回路のそれぞれから供給されるＯＮまたはＯＦＦの信号を、発振手段のそれぞれに入力するｎ個の入力手段と、発振手段のそれぞれの出力と、１組のペアケーブルの一端とを接続する第１の接続手段とを備え、断線処置用の受信装置は、ｎ個の発振手段のそれぞれに対応する発振周波数を中心周波数とする所定の周波数帯域の信号のみを選択的に通過させるｎ個のフィルタ手段と、１組のペアケーブルの他端と、ｎ個のフィルタ手段の入力のそれぞれとを接続する第２の接続手段と、フィルタ手段の出力を、対応する周波数を発振する発振手段に入力手段を介してＯＮまたはＯＦＦの信号を供給する第１の回路と、断線前の状態において、ペアケーブルで１対１に接続されていた第２の回路に出力する出力手段とを備えることを特徴とする。
【００２３】
本発明の断線処置用の情報送信システムの他の側面は、第１の回路、または、第２の回路の少なくともいずれかは、リレーを含む回路であることを特徴とする。
【００２４】
本発明の断線処置用の情報送受信システムの第１の側面は、第１の装置と第２の装置が２以上の（ｍ＋ｍ´）組のペアケーブルで接続され、第１の装置の第１の回路と第２の装置の第２の回路とが１組のペアケーブルで１対１に接続され、ｍ個の第１の回路のそれぞれから、ＯＮまたはＯＦＦの信号のみがペアケーブルを用いてｍ個の第２の回路に送信されるとともに、第１の装置の第３の回路と第２の装置の第４の回路とが１組のペアケーブルで１対１に接続され、ｍ´個の第４の回路のそれぞれから、ＯＮまたはＯＦＦの信号のみがペアケーブルを用いてｍ´個の第３の回路に送信されることにより、第１の装置と第２の装置とが、（ｍ＋ｍ´）種類の情報を送受信することが可能な鉄道用の情報送受信システムにおいて、（ｍ＋ｍ´）組のペアケーブルのうちの少なくとも一部が断線した場合に、１組のペアケーブルを用いて、（ｍ＋ｍ´）種類の情報を含む信号を送受信することが可能な、断線処置用の情報送受信システムであって、断線処置用の第１の装置は、異なる周波数を発振するｍ個の第１の発振手段と、ｍ個の第１の回路から供給されるＯＮまたはＯＦＦの信号を、第１の発振手段のそれぞれに入力するｍ個の第１の入力手段と、ｍ個の第１の発振手段のそれぞれの発振周波数とはそれぞれ異なる周波数を中心周波数とする所定の周波数帯域の信号を選択的に通過させるｍ´個の第１のフィルタ手段と、１ペアのペアケーブルの一端と、ｍ個の第１の発振手段の出力、および、ｍ´個の第１のフィルタ手段の入力とを接続する第１の接続手段と、ｍ´個のフィルタ手段の出力を、ｍ´個の第３の回路にそれぞれ出力する第１の出力手段とを備え、断線処置用の第２の装置は、ｍ個の第１の発振手段のそれぞれに対応する発振周波数を中心周波数とする所定の周波数帯域の信号のみを選択的に通過させるｍ個の第２のフィルタ手段と、第２のフィルタ手段の出力を、対応する周波数を発振する第１の発振手段に第１の入力手段を介してＯＮまたはＯＦＦの信号を供給する第１の回路と、断線前の状態において、ペアケーブルで１対１に接続されていた第２の回路に出力する第２の出力手段と、ｍ´個の第１のフィルタ手段が選択的に通過させる所定の周波数帯域の中心周波数に対応する周波数を発振するｍ´個の第２の発振手段と、ｍ´個の第２の発振手段に、対応する周波数帯域の信号を選択的に通過させる第１のフィルタ手段から第１の出力手段により信号の供給を受ける第３の回路と、断線前の状態において、ペアケーブルで１対１に接続されていた第４の回路から供給される信号を入力する第２の入力手段と、１組のペアケーブルの他端と、ｍ個の第２の入力手段、および、ｍ´個の第２の発振手段の出力とを接続する第２の接続手段とを備えることを特徴とする。
【００２５】
本発明の断線処置用の情報送受信システムの他の側面は、第１の回路、第２の回路、第３の回路、または、第４の回路の少なくともいずれかは、リレーを含む回路であることを特徴とする。
【００２６】
本発明の断線処理用の回路の第１の側面は、送信装置と受信装置が２以上のｎ組のペアケーブルで接続され、送信装置の第１の回路と受信装置の第２の回路とが１組のペアケーブルで１対１に接続され、ｎ個の第１の回路のそれぞれから、ＯＮまたはＯＦＦの信号のみがペアケーブルを用いてｎ個の第２の回路に送信されることにより、送信装置と受信装置とが、ｎ種類の情報を送受信することが可能な鉄道用の情報送信システムにおいて、ｎ組のペアケーブルのうちの少なくとも一部が断線した場合に、１組のペアケーブルを用いて、ｎ種類の情報を含む信号を送信するための、断線処置用の回路であって、ｎ個の第１の回路のそれぞれから供給されるＯＮまたはＯＦＦの信号が、異なる周波数を発振するｎ個の発振手段のそれぞれに入力されるように、第1の回路と発振手段とが接続され、発振手段のそれぞれの出力と、１組のペアケーブルの一端とが接続され、１組のペアケーブルの他端と、ｎ個の発振手段のそれぞれに対応する発振周波数を中心周波数とする所定の周波数帯域の信号のみを選択的に通過させるｎ個のフィルタ手段とが接続され、フィルタ手段の出力が、対応する周波数を発振する発振手段にＯＮまたはＯＦＦの信号を入力する第１の回路と、断線前の状態において、ペアケーブルで１対１に接続されていた第２の回路に接続されていることを特徴とする。
【００２７】
本発明の断線処置用の回路の他の側面は、第１の回路、または、第２の回路の少なくともいずれかは、リレーを含む回路であることを特徴とする。
【００２８】
本発明の断線処置用の回路の第２の側面は、第１の装置と第２の装置が２以上の（ｍ＋ｍ´）組のペアケーブルで接続され、第１の装置の第１の回路と第２の装置の第２の回路とが１組のペアケーブルで１対１に接続され、ｍ個の第１の回路のそれぞれから、ＯＮまたはＯＦＦの信号のみがペアケーブルを用いてｍ個の第２の回路に送信されるとともに、第１の装置の第３の回路と第２の装置の第４の回路とが１組のペアケーブルで１対１に接続され、ｍ´個の第４の回路のそれぞれから、ＯＮまたはＯＦＦの信号のみがペアケーブルを用いてｍ´個の第３の回路に送信されることにより、第１の装置と第２の装置とが、（ｍ＋ｍ´）種類の情報を送受信することが可能な鉄道用の情報送受信システムにおいて、（ｍ＋ｍ´）組のペアケーブルのうちの少なくとも一部が断線した場合に、１組のペアケーブルを用いて、（ｍ＋ｍ´）種類の情報を含む信号を送受信するための断線処置用の回路であって、ｍ個の第１の回路から供給されるＯＮまたはＯＦＦの信号が、異なる周波数を発振するｍ個の第１の発振手段のそれぞれに入力されるように、第１の回路と第１の発振手段とが接続され、ｍ個の第１の発振手段のそれぞれの発振周波数とはそれぞれ異なる周波数を中心周波数とする所定の周波数帯域の信号を選択的に通過させるｍ´個の第１のフィルタ手段の入力、および、ｍ個の第１の発振手段のそれぞれの出力が、１組のペアケーブルの一端に接続され、ｍ´個のフィルタ手段の出力が、ｍ´個の第３の回路に接続され、ｍ個の発振手段のそれぞれに対応する発振周波数の信号のみを選択的に通過させるｍ個の第２のフィルタ手段の出力が、対応する周波数を発振する第１の発振手段にＯＮまたはＯＦＦの信号を入力する第１の回路と、断線前の状態において、ペアケーブルで１対１に接続されていた第２の回路に接続され、ｍ´個の第１のフィルタ手段が選択的に通過させる周波数帯域の中心周波数に対応する周波数を発振するｍ´個の第２の発振手段の入力に、対応する所定の周波数帯域の信号を選択的に通過させる第１のフィルタから信号の出力を受ける第３の回路と、断線前の状態において、ペアケーブルで１対１に接続されていた第４の回路が接続され、１組のペアケーブルの他端と、ｍ個の第２のフィルタ手段の入力、および、ｍ´個の第２の発振手段の出力とが接続されることを特徴とする。
【００２９】
本発明の断線処置用の回路の他の側面は、第１の回路、第２の回路、第３の回路、または、第４の回路の少なくともいずれかは、リレーを含む回路であることを特徴とする。
【００３０】
本発明の断線時の処置方法の第１の側面は、送信装置と受信装置が２以上のｎ組のペアケーブルで接続され、送信装置の第１の回路と受信装置の第２の回路とが１組のペアケーブルで１対１に接続され、ｎ個の第１の回路のそれぞれから、ＯＮまたはＯＦＦの信号のみがペアケーブルを用いてｎ個の第２の回路に送信されることにより、送信装置と受信装置とが、ｎ種類の情報を通信することが可能な鉄道用の情報送信システムにおいて、ｎ組のペアケーブルのうちの少なくとも一部が断線した場合に、１組のペアケーブルを用いて、ｎ種類の情報を含む信号を通信するための断線時の処置方法であって、ｎ個の第１の回路のそれぞれから供給されるＯＮまたはＯＦＦの信号が、異なる周波数を発振するｎ個の発振手段のそれぞれに入力されるように、第1の回路と発振手段とを接続し、発振手段のそれぞれの出力と、１組のペアケーブルの一端とを接続し、１組のペアケーブルの他端と、ｎ個の発振手段のそれぞれに対応する発振周波数を中心周波数とする所定の周波数帯域の信号のみを選択的に通過させるｎ個のフィルタ手段とを接続し、フィルタ手段の出力を、対応する周波数を発振する発振手段にＯＮまたはＯＦＦの信号を入力する第１の回路と、断線前の状態において、ペアケーブルで１対１に接続されていた第２の回路に接続することを特徴とする。
【００３１】
本発明の断線時の処置方法の他の側面は、第１の回路、または、第２の回路の少なくともいずれかは、リレーを含む回路であることを特徴とする。
【００３２】
本発明の断線時の処置方法の第２の側面は、第１の装置と第２の装置が２以上の（ｍ＋ｍ´）組のペアケーブルで接続され、第１の装置の第１の回路と第２の装置の第２の回路とが１組のペアケーブルで１対１に接続され、ｍ個の第１の回路のそれぞれから、ＯＮまたはＯＦＦの信号のみがペアケーブルを用いてｍ個の第２の回路に送信されるとともに、第１の装置の第３の回路と第２の装置の第４の回路とが１組のペアケーブルで１対１に接続され、ｍ´個の第４の回路のそれぞれから、ＯＮまたはＯＦＦの信号のみがペアケーブルを用いてｍ´個の第３の回路に送信されることにより、第１の装置と第２の装置とが、（ｍ＋ｍ´）種類の情報を送受信することが可能な鉄道用の情報送受信システムにおいて、（ｍ＋ｍ´）組のペアケーブルのうちの少なくとも一部が断線した場合に、１組のペアケーブルを用いて、（ｍ＋ｍ´）種類の情報を含む信号を送受信するための断線時の処置方法であって、ｍ個の第１の回路から供給されるＯＮまたはＯＦＦの信号が、異なる周波数を発振するｍ個の第１の発振手段のそれぞれに入力されるように、第１の回路と第１の発振手段とを接続し、ｍ個の第１の発振手段のそれぞれの発振周波数とはそれぞれ異なる周波数を中心周波数とした所定の周波数帯域の信号を選択的に通過させるｍ´個の第１のフィルタ手段の入力、および、ｍ個の第１の発振手段のそれぞれの出力を、１組のペアケーブルの一端に接続し、ｍ´個の第１のフィルタ手段の出力が、ｍ´個の第３の回路にそれぞれ出力されるように、第１のフィルタ手段と第3の回路とを接続し、ｍ個の第１の発振手段のそれぞれに対応する発振周波数を中心周波数とする所定の周波数帯域の信号のみを選択的に通過させるｍ個の第２のフィルタ手段の出力を、対応する周波数を発振する第１の発振手段にＯＮまたはＯＦＦの信号を入力する第１の回路と、断線前の状態において、ペアケーブルで１対１に接続されていた第２の回路に接続し、ｍ´個の第１のフィルタ手段が選択的に通過させる周波数帯域の中心周波数に対応する周波数を発振するｍ´個の第２の発振手段の入力を、対応する周波数帯域の信号を選択的に通過させる第１のフィルタから信号の出力を受ける第３の回路と、断線前の状態において、ペアケーブルで１対１に接続されていた第４の回路に接続し、１組のペアケーブルの他端と、ｍ個の第２のフィルタ手段の入力、および、ｍ´個の第２の発振手段の出力とを接続することを特徴とする。
【００３３】
本発明の断線時の処置方法の他の側面は、第１の回路、第２の回路、第３の回路、または、第４の回路の少なくともいずれかは、リレーを含む回路であることを特徴とする。
【発明の効果】
【００３４】
本発明によれば、複数敷設されたペアケーブルの断線時において、簡単な構成を用いて、１本のペアケーブルで複数の情報を通信することができる。すなわち、ペアケーブルの断線時の処置を迅速に行うことができる。
【図面の簡単な説明】
【００３５】
【図１】機器室と駅近辺の踏切を制御する器具箱との接続、および、踏切の制御について説明するための図である。
【図２】情報送信システムの概要を示す図である。
【図３】ケーブル断線時の処置について説明するための図である。
【図４】情報送受信システムの概要を示す図である。
【図５】ケーブル断線時の処置について説明するための図である。
【発明を実施するための形態】
【００３６】
以下、本発明の一実施の形態について、図２〜図５を参照しながら説明する。
【００３７】
図２および図３を参照して、ペアケーブルが断線した場合の処置方法と、処置に用いられる回路の第１の例について説明する。
【００３８】
図２に示される機器室１０１と器具箱１０２とは、複数のペアケーブルで接続されている。
【００３９】
機器室１０１は、リレー１１１−１〜１１１−ｎ（ｎは２以上）を含んで構成されている。リレー１１１−１〜１１１−ｎは、例えば、図１を用いて説明した、機器室５１のリレーシーケンス回路６２の出力部分のリレー、または、リレー６４などに対応する。器具箱１０２に出力される情報信号のＯＮまたはＯＦＦは、リレー１１１−１〜１１１−ｎのＯＮまたはＯＦＦである。リレー１１１−１〜１１１−ｎのそれぞれから出力されるＯＮまたはＯＦＦの情報信号は、それぞれ異なるペアケーブルを介して、器具箱１０２に出力される。なお、機器室１０１には、リレー１１１−１〜１１１−ｎ以外の、例えば、リレーシーケンス回路や、器具箱１０２に出力する情報信号以外の出力信号や入力信号のためのリレーなどが備えられていても良いことは言うまでもない。
【００４０】
器具箱１０２は、リレー１３１−１〜１３１−ｎを含んで構成されている。リレー１３１−１〜１３１−ｎは、例えば、図１を用いて説明した、器具箱５３のリレー７１−１〜７１−５などに対応する。リレー１３１−１〜１３１−ｎへ入力されるＯＮまたはＯＦＦの情報信号は、それぞれ異なるペアケーブルを介して、機器室１０１から供給される。
【００４１】
リレー１３１−１〜１３１−ｎの出力は、例えば、図１を用いて説明した器具箱５３に備えられているリレーシーケンス回路７２などへの入力となる。なお、器具箱１０２には、リレー１３１−１〜１３１−ｎ以外の、例えば、リレーシーケンス回路や、機器室１０１から供給された情報信号以外の入力信号の供給を受けるリレーなどが備えられていても良いことは言うまでもない。
【００４２】
平常時において、機器室１０１のリレー１１１−１〜１１１−ｎと、器具箱１０２のリレー１３１−１〜１３１−ｎは、ｎ組のペアケーブルで接続されている。すなわち、機器室１０１のリレー１１１−１の出力は、ペアケーブルを介して、器具箱１０２のリレー１３１−１に入力され、機器室１０１のリレー１１１−２の出力は、ペアケーブルを介して、器具箱１０２のリレー１３１−２に入力され、機器室１０１のリレー１１１−３の出力は、ペアケーブルを介して、器具箱１０２のリレー１３１−３に入力され、機器室１０１のリレー１１１−ｎの出力は、ペアケーブルを介して、器具箱１０２のリレー１３１−ｎに入力される。
【００４３】
機器室１０１と器具箱１０２との間に敷設されるペアケーブルは、野外にさらされた状態で長期間用いられる。したがって、このような用途のペアケーブルは、例えば、動物にかじられたり、雨風にさらされるといった劣悪な環境下においても長期間使用可能なように、その被覆は、非常に硬く丈夫なものである必要がある。例えば、災害などによって、機器室１０１と器具箱１０２を接続するペアケーブルのうちの少なくとも一部が切断された場合、全てのペアケーブルを元のとおり敷設するには、大変な時間がかかってしまう。全てのペアケーブルを元のとおり敷設するまでの間、鉄道の運行が停止してしまうことを避けるため、早急に機器室１０１と器具箱１０２の通信状態を回復させる必要がある。
【００４４】
図３を参照して、機器室１０１と器具箱１０２の通信状態を回復させるための処置について説明する。
【００４５】
機器室１０１と器具箱１０２を接続するペアケーブルのうちの何本かが断線した場合、断線していないペアケーブルを少なくとも１ペア見つけ出す。また、機器室１０１と器具箱１０２を接続するペアケーブルのすべてが断線した場合、機器室１５１と器具箱１５２との間に１組のペアケーブルを敷設する。すなわち、少なくとも１組のペアケーブル１０３により、機器室１０１と器具箱１０２とを接続することが可能な状態とする。
【００４６】
そして、機器室１０１においては、平常時において、機器室１０１と器具箱１０２とで送受信されていた情報の数、換言すれば、それらを接続していたペアケーブルの組数と同じ数であり、それぞれの発振周波数が異なる発振器１１２−１〜１１２−ｎが用いられる。機器室１０１のリレー１１１−１〜１１１−ｎのそれぞれの出力は、それぞれ発振周波数の異なる発振器１１２−１〜１１２−ｎの入力端子１１３−１〜１１３−ｎと接続される。そして、発振器１１２−１〜１１２−ｎの出力は、機器室１０１と器具箱１０２とを接続している１組のペアケーブル１０３の機器室１０１側の接点１１４に全て接続される。
【００４７】
すなわち、１組のペアケーブル１０３を用いて、それぞれ異なる周波数を有するｎ種類の情報が、機器室１０１から器具箱１０２に伝達される状態となる。
【００４８】
そして、器具箱１０２のリレー１３１−１〜１３１−ｎのそれぞれと、ペアケーブル１０３の器具箱１０２側の接点１３２との接続には、発振器１１２−１〜１１２−ｎのそれぞれの発振周波数の信号のいずれかのみを選択的に通過させるフィルタ１３３−１〜１３３−ｎが用いられる。フィルタ１３３−１〜１３３−ｎには、例えば、共振回路やバンドパスフィルタなどが用いられる。接点１３２から供給される、それぞれ異なる周波数を有するｎ種類の情報を含む信号は、フィルタ１３３−１〜１３３−ｎのそれぞれに供給される。
【００４９】
ここでは、フィルタ１３３−１が選択的に通過させる信号の周波数帯域の中心周波数を、機器室１０１に備えられた発振器１１２−１の発振周波数とし、フィルタ１３３−２が選択的に通過させる信号の周波数帯域の中心周波数を、機器室１０１に備えられた発振器１１２−２の発振周波数とする。そして、フィルタ１３３−３が選択的に通過させる信号の周波数帯域の中心周波数を、機器室１０１に備えられた発振器１１２−３の発振周波数とし、フィルタ１３３−ｎが選択的に通過させる信号の周波数帯域の中心周波数を、機器室１０１に備えられた発振器１１２−ｎの発振周波数とする
【００５０】
フィルタ１３３−１の出力端子１３４−１は、フィルタ１３３−１が選択的に通過させる周波数帯域の中心周波数と同一の周波数を発振している発振器１１２−１の入力端子１１３−１に信号を供給しているリレー１１１−１と、ペアケーブル断線前に接続されていたリレー１３１−１と接続される。フィルタ１３３−２の出力端子１３４−２は、フィルタ１３３−２が選択的に通過させる周波数帯域の中心周波数と同一の周波数を発振している発振器１１２−２の入力端子１１３−２に信号を供給しているリレー１１１−２と、ペアケーブル断線前に接続されていたリレー１３１−２と接続される。同様に、フィルタ１３３−３の出力端子１３４−３は、リレー１３１−３と接続され、フィルタ１３３−ｎの出力端子１３４−ｎは、リレー１３１−ｎと接続される。
【００５１】
フィルタ１３３−１は、発振器１１２−１の発振周波数と同一の周波数を中心周波数とする所定の周波数帯域の信号のみを通過させるので、ペアケーブル１０３から供給されるｎ個の情報を含んだ信号から、発振器１１２−１に信号を供給するリレー１１１−１のＯＮまたはＯＦＦの信号のみが、リレー１３１−１に供給される。また、フィルタ１３３−２は、発振器１１２−２の発振周波数と同一の周波数を中心周波数とする所定の周波数帯域の信号のみを通過させるので、ペアケーブル１０３から供給されるｎ個の情報を含んだ信号から、発振器１１２−２に信号を供給するリレー１１１−２のＯＮまたはＯＦＦの情報信号のみが、リレー１３１−２に供給される。
【００５２】
同様に、フィルタ１３３−３は、発振器１１２−３の発振周波数と同一の周波数を中心周波数とする所定の周波数帯域の信号のみを通過させるので、リレー１１１−３のＯＮまたはＯＦＦの情報信号のみが、リレー１３１−３に供給され、フィルタ１３３−ｎは、発振器１１２−ｎの発振周波数と同一の周波数を中心周波数とする所定の周波数帯域の信号のみを通過させるので、リレー１１１−ｎのＯＮまたはＯＦＦの情報信号のみが、リレー１３１−ｎに供給される。
【００５３】
このような回路構成により、機器室１０１のリレー１１１−１の出力は、一組のペアケーブル１０３を介して、器具箱１０２のリレー１３１−１に入力され、機器室１０１のリレー１１１−２の出力は、ペアケーブル１０３を介して、器具箱１０２のリレー１３１−２に入力され、機器室１０１のリレー１１１−３の出力は、ペアケーブル１０３を介して、器具箱１０２のリレー１３１−３に入力され、機器室１０１のリレー１１１−ｎの出力は、ペアケーブル１０３を介して、器具箱１０２のリレー１３１−ｎに入力される。すなわち、図３に示される回路構成によって、図２を用いて説明した断線前と同一の通信が実行される。
【００５４】
このように、断線処置用の送信装置に、異なる周波数を発振するｎ個の発振器と、ｎ個の第１の回路（この例においては、情報を送信する側のリレー）のそれぞれから供給されるＯＮまたはＯＦＦの情報信号を、発振器のそれぞれに入力するｎ個の入力端子と、発振器のそれぞれの出力と、１組のペアケーブルの一端とを接続する第１の接点とを備え、断線処置用の受信装置に、ｎ個の発振器のそれぞれに対応する発振周波数を中心周波数とする所定の周波数帯域の信号のみを選択的に通過させるｎ個のフィルタと、１組のペアケーブルの他端と、ｎ個のフィルタの入力のそれぞれとを接続する第２の接点と、フィルタの出力を、対応する周波数を発振する発振器に入力端子を介してＯＮまたはＯＦＦの情報信号を供給する第１の回路と、断線前の状態において、ペアケーブルで１対１に接続されていた第２の回路（この例においては、情報を受信する側のリレー）に出力する出力端子とを備えるようにしたので、１組のペアケーブルで、ｎ種類の情報を通信することができ、複数のペアケーブルのうちの少なくとも一部が断線した場合においても、比較的少ないコストと労力によって、情報の通信状態を早急に復旧させることができる。
【００５５】
次に、図４および図５を参照して、ペアケーブルが断線した場合の処置方法と、処置に用いられる回路の第２の例について説明する。
【００５６】
図４に示される機器室１５１と器具箱１５２とは、複数のペアケーブルで接続されている。
【００５７】
機器室１５１は、リレー１６１−１〜１６１−ｍ、および、リレー１６２−１〜１６２−ｍ´（ｍ＋ｍ´は２以上）を含んで構成されている。リレー１６１−１〜１６１−ｍは、例えば、図１を用いて説明した、機器室５１のリレーシーケンス回路６２の出力部分のリレー、または、リレー６４などに対応する。器具箱１６２に出力される情報信号のＯＮまたはＯＦＦは、リレー１６１−１〜１６１−ｍのＯＮまたはＯＦＦである。リレー１６１−１〜１６１−ｍのそれぞれの出力信号は、それぞれ異なるペアケーブルを介して、器具箱１５２に出力される。そして、リレー１６２−１〜１６２−ｍ´は、例えば、図１を用いて説明した、機器室５１のリレー６３−１〜リレー６３−５やリレー６５などに対応する。リレー１６２−１〜１６２−ｍ´のそれぞれの入力信号は、それぞれ異なるペアケーブルを介して、器具箱１５２から供給され、リレー１６２−１〜１６２−ｍ´は、器具箱１５２から供給される情報信号のＯＮまたはＯＦＦに基づいて、ＯＮまたはＯＦＦされる。
【００５８】
なお、機器室１５１には、リレー１６１−１〜１６１−ｍ、および、リレー１６２−１〜１６２−ｍ´以外の、例えば、リレーシーケンス回路や、器具箱１５２に出力する情報信号以外の出力信号や入力信号のためのリレーなどが備えられていても良いことは言うまでもない。
【００５９】
器具箱１５２は、リレー１７１−１〜１７１−ｍ、および、リレー１７２−１〜１７２−ｍ´を含んで構成されている。リレー１７１−１〜１７１−ｍは、例えば、図１を用いて説明した、器具箱５３のリレー７１−１〜７１−５などに対応する。リレー１７１−１〜１７１−ｍへ入力される情報信号は、それぞれ異なるペアケーブルを介して、機器室１５１から供給される。リレー１７１−１〜１７１−ｍは、機器室１５１のリレー１６１−１〜１６１−ｍから供給される情報信号のＯＮまたはＯＦＦに基づいて、ＯＮまたはＯＦＦされる。リレー１７１−１〜１７１−ｍの出力は、例えば、図１を用いて説明した器具箱５３に備えられているリレーシーケンス回路７２などへの入力となる。そして、リレー１７２−１〜１７２−ｍ´は、例えば、図１を用いて説明した、器具箱５３に備えられているリレーシーケンス回路７２の出力部分のリレー、または、リレー７４などに対応する。器具箱１５２から機器室１５１へ供給される情報信号のＯＮまたはＯＦＦは、リレー１７２−１〜１７２−ｍ´のＯＮまたはＯＦＦである。
【００６０】
なお、器具箱１５２には、リレー１７１−１〜１７１−ｍ、および、リレー１７２−１〜１７２−ｍ´以外の、例えば、リレーシーケンス回路や、機器室１５１から供給された情報信号以外の入力信号の供給を受けるリレーなどが備えられていても良いことは言うまでもない。
【００６１】
平常時において、機器室１５１と器具箱１５２とは、（ｍ＋ｍ´）組のペアケーブルで接続されている。具体的には、機器室１５１のリレー１６１−１〜１６１−ｍと、器具箱１５２のリレー１７１−１〜１７１−ｍは、ｍ組のペアケーブルで接続され、機器室１５１のリレー１６２−１〜１６２−ｍ´と、器具箱１５２のリレー１７２−１〜１７２−ｍ´は、ｍ´組のペアケーブルで接続されている。
【００６２】
すなわち、機器室１５１のリレー１６１−１の出力は、ペアケーブルを介して、器具箱１５２のリレー１７１−１に入力され、機器室１５１のリレー１６１−２の出力は、ペアケーブルを介して、器具箱１５２のリレー１７１−２に入力され、機器室１５１のリレー１６１−３の出力は、ペアケーブルを介して、器具箱１５２のリレー１７１−３に入力され、機器室１５１のリレー１６１−ｍの出力は、ペアケーブルを介して、器具箱１５２のリレー１７１−ｍに入力される。そして、器具箱１５２のリレー１７２−１の出力は、ペアケーブルを介して、機器室１５１のリレー１６２−１に入力され、器具箱１５２のリレー１７２−２の出力は、ペアケーブルを介して、機器室１５１のリレー１６２−２に入力され、器具箱１５２のリレー１７２−３の出力は、ペアケーブルを介して、機器室１５１のリレー１６２−３に入力され、器具箱１５２のリレー１７２−ｍ´の出力は、ペアケーブルを介して、機器室１５１のリレー１６２−ｍ´に入力される。
【００６３】
図２および図３を用いて説明した場合と同様に、例えば、災害などによって、機器室１５１と器具箱１５２を接続するペアケーブルのうちの少なくとも一部が切断された場合、全てのペアケーブルを元のとおり敷設するためには、大変な時間がかかってしまう。全てのペアケーブルを元のとおり敷設するまでの間、鉄道の運行が停止してしまうことを避けるため、早急に機器室１５１と器具箱１５２の通信状態を回復させる必要がある。
【００６４】
図５を参照して、機器室１５１と器具箱１５２の通信状態を回復させるための処置について説明する。
【００６５】
機器室１５１と器具箱１５２を接続するペアケーブルのうちの何本かが断線した場合、断線していないペアケーブルを少なくとも１ペア見つけ出す。また、機器室１５１と器具箱１５２を接続するペアケーブルのすべてが断線した場合、機器室１５１と器具箱１５２との間に１組のペアケーブルを敷設する。すなわち、少なくとも１組のペアケーブル１５３により、機器室１５１と器具箱１５２とを接続することが可能な状態とする。
【００６６】
そして、機器室１５１においては、平常時において、機器室１５１から器具箱１５２に供給されていた情報の数と同一の数であるｍ個の、それぞれの発振周波数が異なる発振器１６３−１〜１６３−ｍが用いられる。機器室１５１のリレー１６１−１〜１６１−ｍのそれぞれの出力は、それぞれ発振周波数の異なる発振器１６３−１〜１６３−ｍの入力端子１６４−１〜１６４−ｍと接続される。そして、発振器１６３−１〜１６３−ｍの出力は、機器室１５１と器具箱１５２とを接続している１組のペアケーブル１５３の機器室１５１側の接点１６５に全て接続される。
【００６７】
さらに、機器室１５１においては、平常時において、器具箱１５２から機器室１５１に供給されていた情報の数と同一の数であるｍ´個の、それぞれが選択的に通過させる周波数帯域が異なるフィルタ１６６−１〜１６６−ｍ´が用いられる。フィルタ１６６−１〜１６６−ｍ´のそれぞれが選択的に通過させる周波数帯域の中心周波数は、発振器１６３−１〜１６３−ｍのいずれの発振周波数とも異なるものである。フィルタ１６６−１〜１６６−ｍ´には、例えば、共振回路やバンドパスフィルタなどが用いられる。機器室１５１のリレー１６２−１〜１６２−ｍ´のそれぞれの入力は、それぞれが選択的に通過させる周波数帯域が異なるフィルタ１６６−１〜１６６−ｍ´の出力端子１６７−１〜１６７−ｍ´と接続される。そして、フィルタ１６６−１〜１６６−ｍ´の入力は、機器室１５１と器具箱１５２とを接続している１組のペアケーブル１５３の機器室１５１側の接点１６５に全て接続される。
【００６８】
そして、器具箱１５２のリレー１７１−１〜１７１−ｍのそれぞれと、ペアケーブル１５３の器具箱１５２側の接点１７３との接続には、機器室１５１の発振器１６３−１〜１６３−ｍのそれぞれの発振周波数のいずれかを中心周波数とした周波数帯域の信号のみを選択的に通過させるフィルタ１７４−１〜１７４−ｍが用いられる。フィルタ１７４−１〜１７４−ｍには、例えば、共振回路やバンドパスフィルタなどが用いられる。接点１７３から供給される信号は、フィルタ１７４−１〜１７４−ｍのそれぞれに供給される。
【００６９】
ここでは、フィルタ１７４−１が選択的に通過させる周波数帯域の中心周波数を、機器室１５１の発振器１６３−１が発振している発振周波数とし、フィルタ１７４−２が選択的に通過させる周波数帯域の中心周波数を、機器室１５１の発振器１６３−２が発振している発振周波数とする。そして、フィルタ１７４−３が選択的に通過させる周波数帯域の中心周波数を、機器室１５１の発振器１６３−３が発振している発振周波数とし、フィルタ１７４−ｍが選択的に通過させる周波数帯域の中心周波数を、機器室１５１の発振器１６３−ｍが発振している発振周波数とする。
【００７０】
そして、フィルタ１７４−１の出力端子１７５−１は、機器室１５１の発振器１６３−１の入力端子１６４−１に信号を供給しているリレー１６１−１とペアケーブル断線前に接続されていたリレー１７１−１と接続される。フィルタ１７４−２の出力端子１７５−２は、機器室１５１の発振器１６３−２の入力端子１６４−２に信号を供給しているリレー１６１−２とペアケーブル断線前に接続されていたリレー１７１−２と接続される。同様に、フィルタ１７４−３の出力端子１７５−３は、リレー１７１−３と接続され、フィルタ１７４−ｍの出力端子１７５−ｍは、リレー１７１−ｍと接続される。
【００７１】
フィルタ１７４−１は、発振器１６３−１の発振周波数と同一の周波数を中心周波数とする所定の周波数帯域の信号のみを通過させるので、ペアケーブル１５３から供給される複数の情報を含んだ信号から、発振器１６３−１に信号を供給するリレー１６１−１のＯＮまたはＯＦＦの情報信号のみが、リレー１７１−１に供給される。また、フィルタ１７４−２は、発振器１６３−２の発振周波数と同一の周波数を中心周波数とする所定の周波数帯域の信号のみを通過させるので、ペアケーブル１５３から供給される複数の情報を含んだ信号から、発振器１６３−２に信号を供給するリレー１６１−２のＯＮまたはＯＦＦの情報信号のみが、リレー１７１−２に供給される。
【００７２】
同様に、フィルタ１７４−３は、発振器１６３−３の発振周波数と同一の周波数を中心周波数とする所定の周波数帯域の信号のみを通過させるので、リレー１６１−３のＯＮまたはＯＦＦの情報信号のみが、リレー１７１−３に供給され、フィルタ１７４−ｍは、発振器１６３−ｍの発振周波数と同一の周波数を中心周波数とする所定の周波数帯域の信号のみを通過させるので、リレー１６１−ｍのＯＮまたはＯＦＦの情報信号のみが、リレー１７１−ｍに供給される。
【００７３】
そして、器具箱１５２のリレー１７２−１〜１７２−ｍ´のそれぞれと、ペアケーブル１５３の器具箱１５２側の接点１７３との接続には、機器室１５１のフィルタ１６６−１〜１６６−ｍ´がそれぞれ選択的に通過させる周波数帯域の中心周波数のいずれかを発振周波数とする発振器１７６−１〜１７６−ｍ´が用いられる。発振器１７６−１〜１７６−ｍ´のそれぞれから出力される信号は、接点１７３を介してペアケーブル１５３に送出される。
【００７４】
ここでは、発振器１７６−１の発振周波数を、機器室１５１のフィルタ１６６−１が選択的に通過させることができる周波数帯域の中心周波数とし、発振器１７６−２の発振周波数を、機器室１５１のフィルタ１６６−２が選択的に通過させることができる周波数帯域の中心周波数とする。そして、発振器１７６−３の発振周波数を、機器室１５１のフィルタ１６６−３が選択的に通過させることができる周波数帯域の中心周波数とし、発振器１７６−ｍ´の発振周波数を、機器室１５１のフィルタ１６６−ｍ´が選択的に通過させることができる周波数帯域の中心周波数とする。
【００７５】
そして、発振器１７６−１の入力端子１７７−１は、機器室１５１のフィルタ１６６−１の出力端子１６７−１から信号の供給を受けるリレー１６２−１とペアケーブル断線前に接続されていたリレー１７２−１と接続される。発振器１７６−２の入力端子１７７−２は、機器室１５１のフィルタ１６６−２の出力端子１６７−２から信号の供給を受けるリレー１６２−２とペアケーブル断線前に接続されていたリレー１７２−２と接続される。同様に、発振器１７６−３の入力端子１７７−３は、リレー１７２−３と接続され、発振器１７６−ｍ´の入力端子１７７−ｍ´は、リレー１７２−ｍ´と接続される。
【００７６】
発振器１７６−１は、フィルタ１６６−１が選択的に通過させる所定の周波数帯域の中心周波数を発振周波数とするので、機器室１５１のリレー１６２−１には、ペアケーブル１５３を介して授受される複数の情報を含んだ信号のうち、リレー１７２−１のＯＮまたはＯＦＦの情報信号ののみが入力される。また、発振器１７６−２は、フィルタ１６６−２が選択的に通過させる所定の周波数帯域の中心周波数を発振周波数とするので、機器室１５１のリレー１６２−２には、ペアケーブル１５３を介して授受される複数の情報を含んだ信号のうち、リレー１７２−２のＯＮまたはＯＦＦの情報信号ののみが入力される。
【００７７】
そして、同様に、発振器１７６−３は、フィルタ１６６−３が選択的に通過させる所定の周波数帯域の中心周波数を発振周波数とするので、機器室１５１のリレー１６２−３には、リレー１７２−３のＯＮまたはＯＦＦの情報信号のみが入力され、発振器１７６−ｍ´は、フィルタ１６６−ｍ´が選択的に通過させる所定の周波数帯域の中心周波数を発振周波数とするので、機器室１５１のリレー１６２−ｍ´には、リレー１７２−ｍ´のＯＮまたはＯＦＦの情報信号のみが入力される。
【００７８】
このような回路構成により、機器室１５１のリレー１６１−１の出力は、１組のペアケーブル１５３を介して、器具箱１５２のリレー１７１−１に入力され、機器室１５１のリレー１６１−２の出力は、１組のペアケーブル１５３を介して、器具箱１５２のリレー１７１−２に入力される。そして、機器室１５１のリレー１６１−３の出力は、１組のペアケーブル１５３を介して、器具箱１５２のリレー１７１−３に入力され、機器室１５１のリレー１６１−ｍの出力は、１組のペアケーブル１５３を介して、器具箱１５２のリレー１７１−ｍに入力される。
【００７９】
さらに、器具箱１５２のリレー１７２−１の出力は、１組のペアケーブル１５３を介して、機器室１５１のリレー１６２−１に入力され、器具箱１５２のリレー１７２−２の出力は、１組のペアケーブル１５３を介して、機器室１５１のリレー１６２−２に入力される。そして、器具箱１５２のリレー１７２−３の出力は、１組のペアケーブル１５３を介して、機器室１５１のリレー１６２−３に入力され、器具箱１５２のリレー１７２−ｍ´の出力は、１組のペアケーブル１５３を介して、機器室１５１のリレー１６２−ｍ´に入力される。すなわち、図５に示される回路構成によって、図４を用いて説明した断線前と同一の通信が実行される。
【００８０】
このように、断線処置用の第１の装置に、異なる周波数を発振するｍ個の第１の発振器と、ｍ個の第１の回路（この例においては、リレー）から供給されるＯＮまたはＯＦＦの信号を、第１の発振器のそれぞれに入力するｍ個の第１の入力端子と、ｍ個の第１の発振器のそれぞれの発振周波数とはそれぞれ異なる周波数を中心周波数とした所定の周波数帯域の信号を選択的に通過させるｍ´個の第１のフィルタと、１ペアのペアケーブルの一端と、ｍ個の第１の発振器のそれぞれの出力、および、ｍ´個の第１のフィルタの入力とを接続する第１の接点と、ｍ´個のフィルタの出力を、ｍ´個の第３の回路（この例においては、リレー）にそれぞれ出力する第１の出力端子とを備え、断線処置用の第２の装置に、ｍ個の第１の発振器のそれぞれに対応する発振周波数を中心周波数とする所定の周波数帯域の信号のみを選択的に通過させるｍ個の第２のフィルタと、第２のフィルタの出力を、対応する周波数を発振する第１の発振器に第１の入力端子を介してＯＮまたはＯＦＦの信号を供給する第１の回路と、断線前の状態において、ペアケーブルで１対１に接続されていた第２の回路（この例においては、リレー）に出力する第２の出力端子と、ｍ´個の第１のフィルタが選択的に通過させる周波数帯域の中心周波数に対応する周波数を発振するｍ´個の第２の発振器と、ｍ´個の第２の発振器に、対応する周波数の信号を選択的に通過させる第１のフィルタから第２の出力端子により信号の供給を受ける第３の回路と、断線前の状態において、ペアケーブルで１対１に接続されていた第４の回路（この例においては、リレー）から供給される信号を入力する入力端子と、１組のペアケーブルの他端と、ｍ個の第２のフィルタの入力、および、ｍ´個の第２の発振器の出力とを接続する第２の接点とを備えるようにしたので、１組のペアケーブルによって、（ｍ＋ｍ´）種類の情報の送受信を行うことができ、複数のペアケーブルのうちの少なくとも一部が断線した場合においても、比較的少ないコストと労力によって、情報の通信状態を早急に復旧させることができる。
【００８１】
なお、上述した処置における、リレー、発振器、フィルタ、および、ペアケーブルのそれぞれの接続は、電気的に接続された状態になれば、例えば、所定の端子とコネクタ等を用いてもよいし、直接はんだ付けなどを行うものとしてもよいことは言うまでもない。
【００８２】
なお、装置間に授受されていた情報の種類が多く、すべての情報の数（換言すれば、ペアケーブルの組数）に対応する、それぞれ異なる発振周波数の発振器、および、対応する周波数を中心周波数とする所定の周波数帯域の信号のみを選択的に通過させるフィルタを用意することができないような場合、機器室１５１から器具箱１５２への情報の送信と、器具箱１５２から機器室１５１への情報の送信とを、２つ、または、それ以上の回路を用いて復旧してもよい。
【００８３】
具体的には、例えば、図５を用いて説明した機器室１５１のリレー１６１−１〜１６１−ｍから器具箱１５２のリレー１７１−１〜１７１−ｍへの情報の送信を、図３を用いて説明したようにして復旧するとともに、器具箱１５２のリレー１７２−１〜１７２−ｍ´から機器室１５１のリレー１６２−１〜１６２−ｍ´への情報の送信を、図３を用いて説明した場合の機器室と器具箱との関係を逆転させた状態を用いて復旧するようにしてもよい。
【００８４】
また、装置間に授受されていた情報の種類が多く、すべての情報の数（換言すれば、ペアケーブルの組数）に対応する、それぞれ異なる発振周波数の発振器、および、対応する周波数を中心周波数とする所定の周波数帯域の信号のみを選択的に通過させるフィルタを用意することができないような場合、できるだけ少ないペアケーブルを用いて、図３または図５を用いて図示した場合と同様の回路を複数用いて、情報の通信状態を復旧してもよいことは言うまでもない。
【００８５】
また、複数のペアケーブルが断線せずに残っていた場合においても、図３または図５を用いて説明した場合と同様の回路を複数用いて、情報の通信状態を復旧してもよい。
【００８６】
なお、図３および図５を用いて説明した、それぞれの発振器、フィルタ、入力端子、出力端子、および、接点は、その一部または全部が、あらかじめ接続されているものを用いてもよいし、復旧処置過程において、個別に接続されるものであってもよい。さらに、図３および図５を用いて説明した、それぞれの発振器、フィルタ、入力端子、出力端子、および、接点は、その一部または全部が、あらかじめ接続されて１つの筐体に収められた形で用いられてもよい。
【００８７】
また、それぞれの発振器、フィルタ、入力端子、出力端子、および、接点は、その一部または全部が、機器室や器具箱などに収められていてもよいし、それらの外部に設けられてもよい。すなわち、図３および図５を用いて説明した場合において、それぞれ、１つの装置のようにして説明されていた、機器室、および、器具箱は、複数の装置、筐体、または、部品などの集合体として構成されていてもよい。
【００８８】
なお、ペアケーブル断線時の処置の手順は、本明細書で説明する順序に沿って行われる
ものであっても良いし、並列に、あるいは、作業上必要なタイミングで処置が行われるものであっても良い。
【００８９】
また、本発明の実施の形態は、上述した実施の形態に限定されるものではなく、本発明の要旨を逸脱しない範囲において種々の変更が可能である。
【符号の説明】
【００９０】
１０１…機器室、  １０２…器具室、  １０３…ペアケーブル、  １１１−１〜１１１−ｎ…リレー（第１の回路）、  １１２−１〜１１２−ｎ…発振器（発振手段）、  １１３−１〜１１３−ｎ…入力端子（入力手段）、  １１４…接点（接続手段）、  １３１−１〜１３１−ｎ…リレー（第２の回路）、  １３２…接点（接続手段）、  １３３−１〜１３３−ｎ…フィルタ（フィルタ手段）、  １３４−１〜１３４−ｎ…出力端子（出力手段）、  １５１…機器室、  １５２…器具室、  １５３…ペアケーブル、  １６１−１〜１６１−ｍ…リレー（第１の回路）、  １６２−１〜１６２−ｍ´…リレー（第３の回路）、  １６３−１〜１６３−ｍ…発振器（発振手段、第１の発振手段）、  １６４−１〜１６４−ｍ…入力端子（入力手段、第１の入力手段）、  １６５…接点（接続手段、第１の接続手段）、  １６６−１〜１６６−ｍ´…フィルタ（フィルタ手段、第１のフィルタ手段）、  １６７−１〜１６７−ｍ´…出力端子（出力手段、第１の出力手段）、１７１−１〜１７１−ｍ…リレー（第２の回路）、  １７２−１〜１７２−ｍ´…リレー（第４の回路）、  １７３…接点（接続手段、第２の接続手段）、  １７４−１〜１７４−ｍ…フィルタ（フィルタ手段、第２のフィルタ手段）、  １７５−１〜１７５−ｍ…出力端子（出力手段、第２の出力手段）、１７６−１〜１７６−ｍ´…発振器（発振手段、第２の発振手段）、  １７７−１〜１７７−ｍ´…入力端子（入力手段、第２の入力手段）
【図１】
2014179700.tif 000003
【図２】
2014179700.tif 000004
【図３】
2014179700.tif 000005
【図４】
2014179700.tif 000006
【図５】
2014179700.tif 000007